(57)【要約】      （修正有）【課題】ポータブル放射線遮蔽体を使った検体の放射線量の計測に伴う作業者の被ばくの問題を低減すると共に、ポータブル放射線遮蔽体に含まれる放射線遮蔽材料の量を最適化して必要最小限の放射線遮蔽材料で構成された放射線遮蔽装置を提供する。【解決手段】遮蔽蓋４の中心部分にプローブＰが挿入される。遮蔽本体２には、検体を入れた規定の密閉プラスチック容器２００が収容される。遮蔽本体２の内径は密閉容器２００の外径よりも若干大きい。遮蔽本体２の凹所の深さ寸法Ｄｔｈと遮蔽蓋４の厚さ寸法との合算値は、密閉容器２００の高さ寸法ＨとプローブＰの遮蔽必要部分Ｌの長さ寸法との合算値と等しい。【選択図】図３
0003188758.tif 000002
【実用新案登録請求の範囲】
【請求項１】
検体を入れた規定の密閉容器を収容する有底筒状の遮蔽本体と、
該遮蔽本体の上端開口を閉じる遮蔽蓋と、
該遮蔽蓋の中心部分に貫通した円形開口であって、放射線計測器の円筒状のプローブの直径とほぼ同じ内径を有し且つ該プローブの挿入を受け入れることのできる円形開口とを有し、
前記遮蔽本体の内面の断面形状が前記密閉容器の断面形状と相似形であり、
前記遮蔽本体の内面の断面の大きさが、前記密閉容器を前記遮蔽本体の中に入れたときに、該遮蔽本体の内面と前記密閉容器との間に指が入らない大きさに設定され、
前記遮蔽本体の前記密閉容器を受け入れる凹所の深さ寸法Ｄthが、前記密閉容器を前記遮蔽本体の中に入れ、前記遮蔽蓋の前記円形開口に挿入された前記プローブが前記密閉容器の上に着座したときに該プローブの遮蔽必要部分Ｌの長さ寸法と前記密閉容器の高さ寸法Ｈとの合算値から前記遮蔽蓋の厚さ寸法Ｔhを減じた値に設定されていることを特徴とするポータブル放射線遮蔽体。
【請求項２】
前記ポータブル放射線遮蔽体が、
前記遮蔽本体に軸支されて傾倒動可能なハンドルを更に有する、請求項１に記載のポータブル放射線遮蔽体。
【請求項３】
前記規定の密閉容器が平面視円形のプラスチック容器であり、
前記遮蔽本体の内面が断面円形の形状である、請求項１又は２に記載のポータブル放射線遮蔽体。
【請求項４】
前記遮蔽蓋が前記円形開口から上方に延びる支え筒を有し、
該支え筒によって前記円形開口に挿入された前記プローブが支えられる、請求項１〜３のいずれか一項に記載のポータブル放射線遮蔽体。
【請求項５】
前記遮蔽蓋が前記遮蔽本体にヒンジ止めされている、請求項４に記載のポータブル放射線遮蔽体。
【請求項６】
前記遮蔽蓋が、前記ヒンジ止めされた部分とは反対側に取っ手を有する、請求項５に記載のポータブル放射線遮蔽体。
【請求項７】
検体を入れた規定の平面視円形の密閉プラスチック容器を収容する有底筒状の遮蔽本体と、該遮蔽本体にヒンジ止めされ且つ該遮蔽本体の上端開口を閉じる遮蔽蓋と、前記遮蔽本体に軸支されて傾倒動可能なハンドルとを有するポータブル放射線遮蔽体と、
前記遮蔽本体に挿入可能な側面視Ｕ字状の引き上げ部材との組み合わせからなる放射線遮蔽装置であって、
前記引き上げ部材がその上端部に指で引っ掛けることのできる引っ掛け部を有し、
前記ポータブル放射線遮蔽体の前記遮蔽蓋が、該遮蔽蓋の中心部分に貫通した円形開口であって、放射線計測器の円筒状のプローブの直径とほぼ同じ内径を有し且つ該プローブの挿入を受け入れることのできる円形開口を有し、
前記遮蔽本体の内面の断面形状が円形であり、
前記遮蔽本体の内面の直径が、前記密閉プラスチック容器を前記遮蔽本体の中に入れたときに、該遮蔽本体の内面と前記密閉プラスチック容器との間に指が入らない寸法に設定され、
前記遮蔽本体の前記密閉プラスチック容器を受け入れる凹所の深さ寸法Ｄthが、前記密閉プラスチック容器を前記遮蔽本体の中に入れ、前記遮蔽蓋の前記円形開口に挿入した前記プローブが前記密閉プラスチック容器の上に着座したときに該プローブの遮蔽必要部分Ｌの長さ寸法と前記密閉プラスチック容器の高さ寸法Ｈとの合算値から前記遮蔽蓋の厚さ寸法Ｔhを減じた値に設定され、
前記遮蔽本体の中に、前記引き上げ部材と前記密閉プラスチック容器とを挿入して該密閉プラスチック容器内の検体の放射線量を計測し、
前記密閉プラスチック容器を前記遮蔽本体から取り出すときに、前記引き上げ部材の上端部の引っ掛け部に作業者が指を引っ掛けて引き上げることを特徴とする放射線遮蔽装置。
【請求項８】
前記遮蔽蓋が前記円形開口から上方に延びる支え筒を有し、
該支え筒によって、前記円形開口に挿入された前記プローブが支えられる、請求項７に記載の放射線遮蔽装置。
【請求項９】
前記遮蔽蓋が、前記ヒンジ止めされた部分とは反対側に取っ手を有する、請求項８に記載の放射線遮蔽装置。
【考案の詳細な説明】
【技術分野】
【０００１】
本発明は、検体の放射線量を測定するのに好都合なポータブル放射線遮蔽体及びこれを含む放射線遮蔽装置に関する。
【背景技術】
【０００２】
2011年3月の東北地方太平洋沖地震及び津波（東日本大震災）に伴って発生した福島原子力発電施設の事故は広域に亘る放射能汚染の問題を引き起こし、未だに環境中に大量の放射性物質を放出し続けるという結果を招いている。
【０００３】
震災地の復興事業と共に除染作業が進んでいるが、同時に、居住区、農地、森林、池、沼、河川域での汚染の状況を正確に把握する作業も進んでいる。
【０００４】
本願考案者は特許文献１でポータブル放射線遮蔽体を提案している。ポータブル放射線遮蔽体は、入手可能なポータブル計測器を使ってターゲットの検体やスポットエリアの放射線量を計測するときに好都合である。このポータブル放射線遮蔽体は底遮蔽蓋を有し、この底遮蔽蓋を取り外した状態つまり底部を開放した状態で使用したときには、例えば地表面の一点の放射線量を周囲環境から隔絶した状態で計測するのに役立つ。また、底遮蔽蓋を付けた状態では、検体を載せたトレーを遮蔽体の中に入れることで、この検体の放射線量を周囲環境から隔絶した状態で計測できる。
【先行技術文献】
【特許文献】
【０００５】
【特許文献１】特開２０１２−１５９５１７号公報
【考案の概要】
【考案が解決しようとする課題】
【０００６】
従来のポータブル放射線遮蔽体では、現地から持ち込んだ検体をトレーに載せ、そしてこのトレーを遮蔽体の中に入れるという作業が必要となる。この検体は放射能汚染物である。検体をトレーに載せ、そしてこのトレーを遮蔽体の中に収容する作業及び測定が終わった後に遮蔽体の中からトレーを取り出し、そして、トレーから検体を取り出して例えば遮蔽容器に廃棄するという作業が必要となる。この作業は手作業であり、数多くの検体の放射線量を計測する場合には作業者の放射線被ばく対策が必要となる。
【０００７】
また、上記のポータブル放射線遮蔽体は鉛を主体に作られている。このことからポータブル放射線遮蔽体は重量物である。また、ポータブル放射線遮蔽体を使用することで、この遮蔽体も放射能汚染されることから遮蔽体の廃棄に伴う鉛の処理という二次的な問題が発生する。
【０００８】
本考案の目的は、ポータブル放射線遮蔽体を使った検体の放射線量の計測に伴う作業者の被ばくの問題を低減することのできるポータブル放射線遮蔽体及び遮蔽装置を提供することにある。
【０００９】
本発明の更なる目的は、ポータブル放射線遮蔽体に含まれる放射線遮蔽材料の量を最適化して必要最小限の放射線遮蔽材料で構成したポータブル放射線遮蔽体及び遮蔽装置を提供することにある。
【課題を解決するための手段】
【００１０】
上記の技術的課題は、本考案の一つの観点によれば、
検体を入れた規定の密閉容器を収容する有底筒状の遮蔽本体と、
該遮蔽本体の上端開口を閉じる遮蔽蓋と、
該遮蔽蓋の中心部分に貫通した円形開口であって、放射線計測器の円筒状のプローブの直径とほぼ同じ内径を有し且つ該プローブの挿入を受け入れることのできる円形開口とを有し、
前記遮蔽本体の内面の断面形状が前記密閉容器の断面形状と相似形であり、
前記遮蔽本体の内面の断面の大きさが、前記密閉容器を前記遮蔽本体の中に入れたときに、該遮蔽本体の内面と前記密閉容器との間に指が入らない大きさに設定され、
前記遮蔽本体の前記密閉容器を受け入れる凹所の深さ寸法Ｄthが、前記密閉容器を前記遮蔽本体の中に入れ、前記遮蔽蓋の前記円形開口に挿入された前記プローブが前記密閉容器の上に着座したときに該プローブの遮蔽必要部分Ｌの長さ寸法と前記密閉容器の高さ寸法Ｈとの合算値から前記遮蔽蓋の厚さ寸法Ｔhを減じた値に設定されていることを特徴とするポータブル放射線遮蔽体を提供することにより達成される。
【００１１】
上記の技術的課題は、本考案の他の観点によれば、
検体を入れた規定の平面視円形の密閉プラスチック容器を収容する有底筒状の遮蔽本体と、該遮蔽本体にヒンジ止めされ且つ該遮蔽本体の上端開口を閉じる遮蔽蓋と、前記遮蔽本体に軸支されて傾倒動可能なハンドルとを有するポータブル放射線遮蔽体と、
前記遮蔽本体に挿入可能な側面視Ｕ字状の引き上げ部材との組み合わせからなる放射線遮蔽装置であって、
前記引き上げ部材がその上端部に指で引っ掛けることのできる引っ掛け部を有し、
前記ポータブル放射線遮蔽体の前記遮蔽蓋が、該遮蔽蓋の中心部分に貫通した円形開口であって、放射線計測器の円筒状のプローブの直径とほぼ同じ内径を有し且つ該プローブの挿入を受け入れることのできる円形開口を有し、
前記遮蔽本体の内面の断面形状が円形であり、
前記遮蔽本体の内面の直径が、前記密閉プラスチック容器を前記遮蔽本体の中に入れたときに、該遮蔽本体の内面と前記密閉プラスチック容器との間に指が入らない寸法に設定され、
前記遮蔽本体の前記密閉プラスチック容器を受け入れる凹所の深さ寸法Ｄthが、前記密閉プラスチック容器を前記遮蔽本体の中に入れ、前記遮蔽蓋の前記円形開口に挿入した前記プローブが前記密閉プラスチック容器の上に着座したときに該プローブの遮蔽必要部分Ｌの長さ寸法と前記密閉プラスチック容器の高さ寸法Ｈとの合算値から前記遮蔽蓋の厚さ寸法Ｔhを減じた値に設定され、
前記遮蔽本体の中に、前記引き上げ部材と前記密閉プラスチック容器とを挿入して該密閉プラスチック容器内の検体の放射線量を計測し、
前記密閉プラスチック容器を前記遮蔽本体から取り出すときに、前記引き上げ部材の上端部の引っ掛け部に作業者が指を引っ掛けて引き上げることを特徴とする放射線遮蔽装置を提供することにより達成される。
【００１２】
本考案の作用効果及び他の目的及びその作用効果は、後に説明する好ましい実施例の詳しい説明から明らかになろう。
【図面の簡単な説明】
【００１３】
【図１】実施例のポータブル放射線遮蔽体の正面図である。
【図２】図１のポータブル放射線遮蔽体の平面図である。
【図３】実施例のポータブル放射線遮蔽体の断面を示し、図２のIII−III線に沿った断面図である。
【図４】実施例のポータブル放射線遮蔽体の使い方の説明図である。
【考案を実施するための形態】
【実施例】
【００１４】
以下に、添付の図面に基づいて本考案の好ましい実施例を説明する。
【００１５】
図１、図２は実施例のポータブル放射線遮蔽体１００を示す。実施例のポータブル放射線遮蔽体１００は、有底円筒状の遮蔽本体２と、この遮蔽本体２の上端開口を閉じるための遮蔽蓋４とを有する。また、ポータブル放射線遮蔽体１００の持ち運びのためにハンドル６が遮蔽本体２に軸支されて傾倒動可能に設けられている。図３は、図２のIII−III線に沿って切断した断面図である。
【００１６】
遮蔽蓋４はヒンジ８（図２、図３）によって遮蔽本体２と一体化され、遮蔽蓋４はヒンジ８を中心に開け閉めすることができる。この開閉操作を容易にするために遮蔽蓋４には、前記ヒンジ８とは反対側の部分に取っ手１０が設けられている。遮蔽蓋４はその開放側の端がロック１２によって遮蔽本体２に固定できるようにするのが、ポータブル放射線遮蔽体１００を持ち運ぶ際に遮蔽本体２と遮蔽蓋４との一体性を高める上で好ましい。
【００１７】
遮蔽本体２及び遮蔽蓋４は、ステンレス鋼板で構成された外皮２０で包囲された遮蔽材料２２を有し（図３）、遮蔽材料２２として鉛が採用されている。この鉛２２の厚さ寸法は所望の放射線遮蔽効果を実現できるように設定するのがよい。
【００１８】
遮蔽蓋４は、その中心部分に円形開口３０を有し（図３）、この開口３０は遮蔽蓋４の厚さ方向つまり上下方向に貫通している。この円形開口３０には放射線測定器のプローブＰが挿入可能である。この円形開口３０の直径Ｄ１は入手可能なポータブル放射線測定器のプローブＰの直径Ｄpよりも僅かに大きい値に設定される。この実施例では、円形開口３０の直径Ｄ１は、日立アロカメディカル株式会社のシンチレーションサーベイメータTCS-１７１Bの円筒状のプローブの直径よりも僅かに大きな値に設定されている（Ｄ1＝48.5mm）。
【００１９】
遮蔽本体２には、密閉遮蔽蓋を備えたプラスチック容器２００が収容される。そして、このプラスチック容器２００には検体Ｓが収容されている。すなわち、検体Ｓを収容した密閉プラスチック容器２００をそのまま遮蔽本体２に入れて検体Ｓの放射線量の計測を行うことができる。
【００２０】
実施例のポータブル放射線遮蔽体１００は、所定の径及び高さ寸法を有する平面視円形の密閉プラスチック容器２００に適合するように設計され、遮蔽本体２の内径ＩＤは、密閉プラスチック容器２００の外径ＯＤよりも若干大きな値に設定されている。具体的には、遮蔽本体２の内径ＩＤは160mmであり、この内径ＩＤの値は、密閉プラスチック容器２００を遮蔽本体２の中に収容することができ且つ遮蔽本体２の内面と密閉プラスチック容器２００との間に指を挿入できない値に設定されている。
【００２１】
サーベイメータのプローブＰは、その下端部に放射線検知部を有している。本願考案者は、プローブＰの全体を遮蔽しなくてもプローブＰの下端から所定の長さの遮蔽必要部分Ｌを遮蔽すれば、実務上、周囲環境からの放射線の影響を回避できることを知った。上記のシンチレーションサーベイメータTCS-１７１Bでは、プローブＰがその下端から上端に至るまで一定の直径の円筒状であり、下端から70mmの部分が遮蔽必要部分Ｌである。つまり、下端から70mmの遮蔽必要部分Ｌをポータブル放射線遮蔽体１００で囲めば、プローブＰが周囲環境からの放射線の影響を受けるのを実質的に回避できる。
【００２２】
このことを念頭に置いてポータブル放射線遮蔽体１００が設計されている。具体的には、遮蔽本体２の凹所の深さ寸法Ｄthと、遮蔽蓋４の厚さ寸法Ｔhとを合算した数値が、密閉プラスチック容器２００の高さ寸法ＨとプローブＰの遮蔽必要部分Ｌとを合算した数値と等しくなるようにポータブル放射線遮蔽体１００が設計されている。なお、図３では、遮蔽本体２の中に入れた密閉プラスチック容器２００が浮いた状態で図示してあるが、これは作図上の理由によるものであり、実際は密閉プラスチック容器２００が着底した状態になるのは勿論である。
【００２３】
｛遮蔽本体２の深さ寸法Ｄth＋遮蔽蓋４の厚さ寸法Ｔh｝
＝｛密閉容器２００の高さ寸法Ｈ＋プローブＰの遮蔽必要部分Ｌの長さ寸法｝
【００２４】
図１〜図３に示す参照符号１４はステンレス製の支え筒であり、この支え筒１４は、その下端が遮蔽蓋４の上面に溶接されている。支え筒１４は、円筒状の形状を有し、遮蔽蓋４の円形開口３０と同軸に配置されている。この支え筒１４は、遮蔽蓋４の円形開口３０に挿入したプローブＰを支える機能を有している。この支え筒１４は、これを設置するか否かは任意である。
【００２５】
図４を参照して実施例のポータブル放射線遮蔽体１００の使い方を説明する。検体Ｓである放射能汚染物は、規定の大きさの密閉プラスチック容器２００に入れた状態で運ばれてくる。この密閉プラスチック容器２００を遮蔽本体２に入れる前に、取り出しツール３００を遮蔽本体２に入れる。取り出しツール３００は、例えば断面Ｕ字状の比較的薄い金属又は比較的硬質の且つ薄いプラスチックの片で構成される。次いで、遮蔽本体２の中に密閉プラスチック容器２００を入れた後に遮蔽蓋４で遮蔽本体２の上端開口を閉じる。勿論、取り出しツール３００に密閉プラスチック容器２００を載せた状態で、取り出しツール３００と一緒に密閉プラスチック容器２００を遮蔽本体２の中に入れるようにしてもよい。
【００２６】
次に、遮蔽蓋４の中心円形開口３０にプローブＰを挿入し、プローブＰの下端を密閉プラスチック容器２００に着座させる。この状態で、放射線量を計測する。
【００２７】
放射線量の計測が完了したら、プローブＰを抜き去った後に遮蔽蓋４を開ける。そして、ツール３００の２つの上端部を折り曲げることにより形成された引っ掛け部分３００ａ（図４）に指を引っ掛けて引き上げる。これにより密閉プラスチック容器２００を遮蔽本体２から取り出すことができる。取り出した密閉プラスチック容器２００は、このままの状態で例えば遮蔽機能を備えたボックス状の格納箱に収容して、計測現場から搬出する。
【００２８】
また、検体Ｓを収容する密閉プラスチック容器２００を規定し、この密閉プラスチック容器２００の断面形状と相似形の断面形状にポータブル放射線遮蔽体１００を設計すると共に、密閉プラスチック容器２００を収容するのに必要最小限の寸法を念頭に置いてポータブル放射線遮蔽体１００を設計したことから、このポータブル放射線遮蔽体１００の断面において、遮蔽体１００を必要最小限の大きさに抑えることができる。また、ポータブル放射線遮蔽体１００の高さ寸法についても、放射線計測器のプローブＰの遮蔽必要部分Ｌに限定して遮蔽するようにしたことから、ポータブル放射線遮蔽体１００の高さ寸法も必要最小限に抑えることができる。したがって、ポータブル放射線遮蔽体１００の主要な要素である遮蔽材料２２の使用量を必要最小限に抑えることができる。つまり、本考案によれば、ポータブル放射線遮蔽体１００を必要最小限までコンパクト化することができる。
【００２９】
上述した実施例の変形例として、検体Ｓを収容するために規定した密閉プラスチック容器２００の断面形状が例えば矩形であれば、ポータブル放射線遮蔽体１００の少なくとも内面の断面形状を密閉プラスチック容器２００の断面形状と相似形にすればよい。
【産業上の利用可能性】
【００３０】
本考案は、放射能で汚染された検体の放射線量の計測に適用できる。
【符号の説明】
【００３１】
１００  ポータブル放射線遮蔽体
２  遮蔽本体
Ｄth  遮蔽本体の深さ寸法
ＩＤ  遮蔽本体の内径
４  遮蔽蓋
Ｔh  遮蔽蓋の厚さ寸法
６  ハンドル
８  ヒンジ
１４  支え筒
２０  外皮
２２  鉛（遮蔽材料）
３０  遮蔽蓋の円形開口
Ｄ１  円形開口の直径
Ｐ  プローブ
Ｄp  プローブの直径
Ｌ  プローブの遮蔽必要部分
２００  検体を収容するための密閉プラスチック容器
ＯＤ  密閉プラスチック容器の外径
Ｈ    密閉プラスチック容器の高さ寸法
Ｓ  検体
３００  検体入りの密閉プラスチック容器を遮蔽本体から取り出すための取り出しツール
【図１】
0003188758.tif 000003
【図２】
0003188758.tif 000004
【図３】
0003188758.tif 000005
【図４】
0003188758.tif 000006